(57)【要約】【課題】  広画角、高ズーム比でしかも全ズーム範囲にわたり高い光学性能を有するズームレンズを得ること。【解決手段】  物体側から像側へ順に、ズーミングのためには不動の正の屈折力の第１レンズ群、ズーミングに際して移動する負の屈折力の第２レンズ群、ズーミングに際して移動する正の屈折力の第３レンズ群、ズーミングのためには不動の正の屈折力の第４レンズ群から構成されるズームレンズにおいて、前記第２レンズ群から前記第４レンズ群の間のいずれかの空気間隔に開口絞りを持ち、前記開口絞りはズーミングに際して移動し、Ｆナンバー一定に対する、全ての焦点距離において前記開口絞りの最も大きな径ＳＰｍａｘ、最も小さな径ＳＰｍｉｎは、０．９＜ＳＰｍｉｎ／ＳＰｍａｘ≦１．０、の条件を満足し、前記第３レンズ群の広角端における横倍率をβ３ｗとするとき、−０．５＜１／β３ｗ＜０．５、なる条件を満足する。【選択図】  図１
2016014816.tif 000002
【特許請求の範囲】
【請求項１】
物体側から像側へ順に、ズーミングのためには不動の正の屈折力の第１レンズ群、ズーミングに際して移動する負の屈折力の第２レンズ群、ズーミングに際して移動する正の屈折力の第３レンズ群、ズーミングのためには不動の正の屈折力の第４レンズ群から構成されるズームレンズにおいて、
前記第２レンズ群から前記第４レンズ群の間のいずれかの空気間隔に開口絞りを備え、前記開口絞りはズーミングに際して移動し、
Ｆナンバー一定に対する、全ての焦点距離において前記開口絞りの最も大きな径ＳＰｍａｘ、最も小さな径ＳＰｍｉｎは、
０．９＜ＳＰｍｉｎ／ＳＰｍａｘ≦１．０
の条件を満足し、
前記第３レンズ群の広角端における横倍率をβ３ｗとするとき、
−０．５＜１／β３ｗ＜０．５
なる条件を満足する、
ことを特徴とするズームレンズ。
【請求項２】
前記開口絞りは、ズーミングに際し、前記第３レンズ群と一体にて移動することを特徴とする請求項１に記載のズームレンズ。
【請求項３】
前記開口絞りは、前記第２レンズ群と前記第３レンズ群の間に配置され、前記開口絞りと前記第３レンズ群の空気間隔をＤ、前記開口絞りの開放時の径をφとしたとき、
１．０×１０-2＜Ｄ／φ＜３．０×１０-1
なる条件を満足することを特徴とする請求項１又は２に記載のズームレンズ。
【請求項４】
前記第１レンズ群の焦点距離をｆ１、前記第２レンズ群の焦点距離をｆ２、前記第３レンズ群の焦点距離をｆ３とするとき、
−３．０＜ｆ１／ｆ２＜−０．５
−０．６＜ｆ２／ｆ３＜−０．２
なる条件を満足することを特徴とする請求項１乃至３のいずれか１項に記載のズームレンズ。
【請求項５】
前記第１レンズ群は、物体側から像側へ順に、フォーカシングのためには移動しない負の屈折力の第１１レンズ群、フォーカシングに際して移動する正の屈折力の第１２レンズ群、フォーカシングのためには移動しない正の屈折力の第１３レンズ群から構成され、
前記第１１レンズ群の焦点距離をｆ１１、前記第１２レンズ群の焦点距離をｆ１２、前記第１３レンズ群の焦点距離をｆ１３とするとき、
−２．０＜ｆ１１／ｆ１＜−０．８
１．０＜ｆ１２／ｆ１＜１５．０
０．８＜ｆ１３／ｆ１＜３．０
なる条件を満足することを特徴とする請求項１乃至４のいずれか１項に記載のズームレンズ。
【請求項６】
前記第３レンズ群は、広角端において、最も物体側に位置することを特徴とする請求項１乃至５のいずれか１項に記載のズームレンズ。
【請求項７】
前記第１１レンズ群または前記第１２レンズ群は、少なくとも１面が非球面で構成されており、正の屈折力の面に適用する場合、光軸から周辺に向かい正の屈折力が強まる形状であり、負の屈折力の面に適用する場合、光軸から周辺に向かい負の屈折力が弱まる形状であることを特徴とする請求項１乃至６のいずれか１項に記載のズームレンズ。
【請求項８】
請求項１乃至７のいずれか１項に記載のズームレンズと、
前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、監視用カメラ、銀塩写真用カメラ等に好適なものである。
【背景技術】
【０００２】
近年、テレビカメラ、映画用カメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、正の屈折力の第１レンズ群、ズーム用の負の屈折力の第２レンズ群、ズームに伴う像面変動補正用の正の屈折力の第３レンズ群、結像用の正の屈折力の第４レンズ群より成る４群ズームレンズが知られている。（特許文献１、２）
【０００３】
特許文献１では、収差変動を抑制するために、第２レンズ群と第３レンズ群の間に開口径不変であるズームに連動して移動する絞り（フレアカット絞り）を有している。
特許文献２では、第１レンズ群の径の縮小及び収差変動を抑制するために、第２レンズ群と第３レンズ群の間、または第３レンズ群と第４レンズ群の間にＦナンバー制御用の絞り（以下、開口絞り）を有し、ズームに伴い第３レンズ群と一体で移動させている。
【先行技術文献】
【特許文献】
【０００４】
【特許文献１】特許第３３３４９２３号公報
【特許文献２】特許第２８９３１１９号公報
【発明の概要】
【発明が解決しようとする課題】
【０００５】
前述した４群ズームレンズにおいて、小型化と、広画角化及び高ズーム比化の両立を達成するためには、第１レンズ群の径を増大させないことが重要である。開口絞りをズームに伴い移動させれば、第１レンズ群の径を縮小することが容易となる。しかしながら、機構や制御が複雑化する問題がある。
【０００６】
特許文献１に開示されているズームレンズでは、第３レンズ群の物体側に絞り（フレアカット絞り）を備え、ズーム中間まで第３レンズ群と一体で移動し、ズーム中間以降は第２レンズ群と連動させ移動させている。これにより絞り（フレアカット絞り）を移動させるための機構を簡略化している。しかしながら、開口絞りは不動なため、第１レンズ群の径の縮小効果はない。
【０００７】
特許文献２に開示されているズームレンズでは、ズームに伴い開口絞りを移動させており、第１レンズ群の径を縮小している。しかしながら、各焦点距離においてＦナンバーを一定に保つためには、焦点距離に応じて開口絞りの径を変化させる必要があり、複雑な機構や電気的な制御等が必要となる。
【０００８】
また、特許文献２に開示されているズームレンズでは、第１レンズ群を通過する最軸外の光束が、最も光軸から離れレンズ最外周部を通過するズーム中間において、開口絞りが第１レンズ群に近付くことで、第１レンズ群の径を縮小させている。しかしながら、より広画角化すると、第１レンズ群の径がより広角側の光束にて規定されため、開口絞りを同様に移動させても、第１レンズ群の径を縮小させることが困難となる。
【０００９】
本発明は広画角、高ズーム比でしかも全ズーム範囲にわたり高い光学性能を有し、小型化が容易で、且つ、簡易な機構で制御が可能なズームレンズ及びそれを有する撮像装置の提供を目的とする。
【課題を解決するための手段】
【００１０】
本発明のズームレンズは、物体側から像側へ順に、ズーミングのためには不動の正の屈折力の第１レンズ群、ズーミングに際して移動する負の屈折力の第２レンズ群、ズーミングに際して移動する正の屈折力の第３レンズ群、ズーミングのためには不動の正の屈折力の第４レンズ群から構成されるズームレンズにおいて、前記第２レンズ群から前記第４レンズ群の間のいずれかの空気間隔に開口絞りを備え、前記開口絞りはズーミングに際して移動し、Ｆナンバー一定に対する、全ての焦点距離において前記開口絞りの最も大きな径ＳＰｍａｘ、最も小さな径ＳＰｍｉｎは、
０．９＜ＳＰｍｉｎ／ＳＰｍａｘ≦１．０
の条件を満足し、
前記第３レンズ群の広角端における横倍率をβ３ｗとするとき、
−０．５＜１／β３ｗ＜０．５
なる条件を満足することを特徴としている。
【発明の効果】
【００１１】
本発明によれば、広画角、高ズーム比でしかも全ズーム範囲にわたり高い光学性能を有し、小型化が容易で、且つ、簡易な機構で制御が可能なズームレンズ及びそれを有する撮像装置が得られる。
【図面の簡単な説明】
【００１２】
【図１】数値実施例１の広角端において無限遠物体に合焦したときのレンズ断面図
【図２】数値実施例１の（Ａ）広角端、（Ｂ）中間のズーム位置、（Ｃ）望遠端で無限遠物体に合焦したときの収差図
【図３】数値実施例２の広角端において無限遠物体に合焦したときのレンズ断面図
【図４】数値実施例２の（Ａ）広角端、（Ｂ）中間のズーム位置、（Ｃ）望遠端で無限遠物体に合焦したときの収差図
【図５】数値実施例３の広角端において無限遠物体に合焦したときのレンズ断面図
【図６】数値実施例３の（Ａ）広角端、（Ｂ）中間のズーム位置、（Ｃ）望遠端で無限遠合焦したときの収差図
【図７】数値実施例４の広角端において無限遠物体に合焦したときのレンズ断面図
【図８】数値実施例４の（Ａ）広角端、（Ｂ）中間のズーム位置、（Ｃ）望遠端で無限遠合焦したときの収差図
【図９】数値実施例５の広角端において無限遠物体に合焦したときのレンズ断面図
【図１０】数値実施例５の（Ａ）広角端、（Ｂ）中間のズーム位置、（Ｃ）望遠端で無限遠合焦したときの収差図
【図１１】数値実施例６の広角端において無限遠物体に合焦したときのレンズ断面図
【図１２】数値実施例６の（Ａ）広角端、（Ｂ）中間のズーム位置、（Ｃ）望遠端で無限遠合焦したときの収差図
【図１３】本発明の撮像装置の要部概略図
【図１４】本発明の広角端、中間のズーム位置、望遠端における光路図
【発明を実施するための形態】
【００１３】
以下には、本発明の実施の形態を添付の図面に基づいて詳細に説明する。本発明のズームレンズは、物体側から像側へ順に、ズーミングのためには不動の正の屈折力の第１レンズ群を有する。更にズーミングに際して移動する負の屈折力の第２レンズ群、ズーミングに際して移動する正の屈折力の第３レンズ群、更にズーミングのためには不動の正の屈折力の第４レンズ群から構成されている。
【００１４】
ここでレンズ群がズーミングのためには不動というのは、レンズ群がズーミングを行う目的で駆動されることは無いが、ズーミングとフォーカシングとを同時に行う場合があれば、フォーカシングのために移動することはあり得るということである。
【００１５】
図１は本発明の実施例１（数値実施例１）のズームレンズの広角端（焦点距離ｆ＝１５ｍｍ）で無限遠物体に合焦しているときのレンズ断面図である。図２は数値実施例１の（Ａ）広角端、（Ｂ）中間のズーム位置（焦点距離）ｆ＝３０ｍｍ、（Ｃ）望遠端ｆ＝４５ｍｍにおける無限遠物体に合焦しているときの収差図である。但し、焦点距離は数値実施例の値をｍｍ単位で表したときの値である。これは以下の各実施例において全て同じである。
【００１６】
図３は本発明の実施例２（数値実施例２）のズームレンズの広角端（焦点距離ｆ＝１１ｍｍ）で無限遠物体に合焦しているときのレンズ断面図である。図４は数値実施例２の（Ａ）広角端、（Ｂ）中間のズーム位置（焦点距離）ｆ＝２２ｍｍ、（Ｃ）望遠端ｆ＝３０ｍｍにおける無限遠物体に合焦しているときの収差図である。
【００１７】
図５は本発明の実施例３（数値実施例３）のズームレンズの広角端（焦点距離ｆ＝２４ｍｍ）で無限遠物体に合焦しているときのレンズ断面図である。図６は数値実施例３の（Ａ）広角端、（Ｂ）中間のズーム位置（焦点距離）ｆ＝４８ｍｍ、（Ｃ）望遠端ｆ＝７２ｍｍにおける無限遠物体に合焦しているときの収差図である。
【００１８】
図７は本発明の実施例４（数値実施例４）のズームレンズの広角端（焦点距離ｆ＝２０ｍｍ）で無限遠物体に合焦しているときのレンズ断面図である。図８は数値実施例４の（Ａ）広角端、（Ｂ）中間のズーム位置（焦点距離）ｆ＝５０ｍｍ、（Ｃ）望遠端ｆ＝８０ｍｍにおける無限遠物体に合焦しているときの収差図である。
【００１９】
図９は本発明の実施例５（数値実施例５）のズームレンズの広角端（焦点距離ｆ＝１６ｍｍ）で無限遠物体に合焦しているときのレンズ断面図である。図１０は数値実施例５の（Ａ）広角端、（Ｂ）中間のズーム位置（焦点距離）ｆ＝３８．４ｍｍ、（Ｃ）望遠端ｆ＝４８ｍｍにおける無限遠物体に合焦しているときの収差図である。
【００２０】
図１１は本発明の実施例６（数値実施例６）のズームレンズの広角端（焦点距離ｆ＝１３ｍｍ）で無限遠物体に合焦しているときのレンズ断面図である。図１２は数値実施例６の（Ａ）広角端、（Ｂ）中間のズーム位置（焦点距離）ｆ＝２４ｍｍ、（Ｃ）望遠端ｆ＝３５ｍｍにおける無限遠物体に合焦しているときの収差図である。
【００２１】
図１３は本発明の撮像装置の要部概略図である。図１４は広角端、中間のズーム位置、望遠端における光路図である。
【００２２】
各レンズ断面図において、左方が被写体（物体）側（前方）で、右方が像側（後方）である。レンズ断面図において、Ｕ１はズーミングのためには不動の正の屈折力の第１レンズ群（前玉レンズ群）である。Ｕ１ｂは第１レンズ群Ｕ１中のフォーカスレンズ群であり、無限遠物体から近距離物体へのフォーカスに際して像側へ移動する。Ｕ１ａ及びＵ１ｃは第１レンズ群Ｕ１中のフォーカスのためには不動の固定レンズ群である。
【００２３】
Ｕ２はズーミングに際して移動する負の屈折力の第２レンズ群である。Ｕ３はズーミングに際して移動する正の屈折力の第３レンズ群である。Ｕ４はズーミングのためには不動の結像作用をする正の屈折力の第４レンズ群（リレーレンズ群）である。
【００２４】
各実施例のズームレンズは、第２レンズ群Ｕ２及び第３レンズ群Ｕ３の各々のレンズ間隔を変化させながら光軸上を移動することで、ズームとズームに伴う像面変動の補正を行っている。この２つのレンズ群でズーム系（変倍群）を構成している。
【００２５】
ＳＰは絞り（開口絞り）であり、ズーミングに際して移動する。Ｉは撮像面であり、ズームレンズで形成された像を受光し、光電変換する固体撮像素子（光電変換素子）等の撮像面に相当している。
【００２６】
収差図において、球面収差における直線と二点鎖線は各々ｅ線，ｇ線である。非点収差における点線と実線は各々メリディオナル像面，サジタル像面であり、倍率色収差はｇ線によって表している。ωは半画角、ＦｎｏはＦナンバーである。尚、以下の各実施例において変倍用のレンズ群が最も短焦点側の配置となった場合を広角端、最も長焦点側の配置となった場合を望遠端という。
【００２７】
図１４は本発明における広角端から望遠端における光路図であり、（Ａ）は広角端、（Ｂ）はズーム中間、（Ｃ）は望遠端である。光束として、軸上、および画面最周辺に対応する最軸外の２光束を示す。図１４では、開口絞りは第３レンズ群Ｕ３と一体に移動する。また、図１４に示すように、第３レンズ群Ｕ３（開口絞り）は、広角端（Ａ）にて最も物体側に位置し、ズーム中間（Ｂ）にて最も像側に位置し、望遠端（Ｃ）にて広角端（Ａ）とズーム中間（Ｂ）の間に位置している。
【００２８】
また、図１４（Ａ）に示すように、最軸外光線は、最も物体側のレンズに対し、広角端にて最も光軸から離れた外周部を通過する。即ち、広角端において、最も物体側のレンズ径は決定される。
【００２９】
開口絞りをより物体側に配置すると、絞りより物体側のレンズにおいて、最軸外光線がレンズの内側を通過するようになる。よって、開口絞りを広角端で最も物体側に配置することにより、最も物体側のレンズ径を効果的に縮小している。
【００３０】
また、図１４（Ａ）に示すように、第３レンズ群Ｕ３から像側に射出される軸上マージナル光線の高さが焦点距離に依らず略一定である。よって、開口絞りは移動しているにも関わらず、焦点距離に応じて絞り径を変える必要がなく、複雑な機構や制御等を必要としない。
【００３１】
各実施例において、第２レンズ群Ｕ２から第４レンズ群Ｕ４の間の何れかの空気間隔に開口絞りを持ち、開口絞りはズーミングに際して光軸に沿って移動する。Ｆナンバー一定に対し、全ての焦点距離において開口絞りの絞り径が略同様であり、第３レンズ群の広角端における横倍率をβ３ｗとする。このとき、
−０．５＜１／β３ｗ＜０．５        ・・・（１）
なる条件を満足している。
【００３２】
各実施例のズームレンズは、各レンズ群の屈折力やズーミングの際の移動軌跡等を適切に設定している。ここで条件式（１）は、広角端における横倍率β３ｗの逆数の範囲を規定している。β３ｗが∞であるとき、第３レンズ群より射出される軸上マージナル光線の高さは、全焦点距離において完全に一定となる。このとき、第３レンズ群Ｕ３の前後の空気間隔に開口絞りを配置することで、任意のＦナンバーに対し、焦点距離に依らず絞り径を一定に保つことが可能となる。
【００３３】
条件式（１）の上限または下限を超えると、任意のＦナンバーに対し、焦点距離に応じて絞り径を変化させる必要があるため、複雑な機構や制御等を必要とし、コストアップや重量の増加に繋がる。
【００３４】
更に好ましくは条件式（１）の数値範囲を次の如く設定するのが良い。
−０．２＜１／β３ｗ＜０．１        ・・・（１ａ）
更に更に好ましくは条件式（１）の数値を次の如く設定するのが良い。
１／β３ｗ＝０                      ・・・（１ｂ）
【００３５】
以上の各条件を満たすことにより、本発明の各実施例はズーム全域において収差補正が良好に補正された、小型、軽量なズームレンズを得ている。
【００３６】
各実施例において更に好ましくは、開口絞りは、ズーミングに際し、第３レンズ群Ｕ３と略一体にて移動するのが良い。また、より好ましくは、開口絞りは、ズーミングに際し、第３レンズ群Ｕ３と一体にて移動するのが良い。これによれば、開口絞りを移動させるための機構が簡略化することが容易となる。
【００３７】
各実施例において更に好ましくは、開口絞りは、第２レンズ群Ｕ２と第３レンズ群Ｕ３の間に配置され、開口絞りと第３レンズ群Ｕ３の空気間隔をＤ、開口絞りの開放時の径をφとする。
このとき、
１．０×１０-2＜Ｄ／φ＜３．０×１０-1  ・・・（２）
なる条件を満足するのが良い。
条件式（２）の上限を超えると、第２レンズ群Ｕ２と第３レンズ群Ｕ３の空気間隔を大きく空けることになるため、レンズの小型化が困難となる。条件式（２）の下限を超えると、開口絞りと第３レンズ群Ｕ３の空気間隔が狭過ぎるため、開口絞りの機構を入れ込むことが困難となる。
【００３８】
各実施例において更に好ましくは、次の諸条件のうち１以上を満足するのが良い。第１レンズ群Ｕ１の焦点距離をｆ１、第２レンズ群Ｕ２の焦点距離をｆ２、第３レンズ群Ｕ３の焦点距離をｆ３とする。
このとき、
−３．０＜ｆ１／ｆ２＜−０．５          ・・・（３）
−０．６＜ｆ２／ｆ３＜−０．２          ・・・（４）
なる条件のうち１以上を満足するのが良い。
【００３９】
条件式（３）は第１レンズ群Ｕ１と第２レンズ群Ｕ２の焦点距離の比を規定している。条件式（３）の上限を超えると、第１レンズ群Ｕ１の焦点距離が相対的に短くなり過ぎるため、ズームによる収差変動の抑制、特に広角側で歪曲、像面湾曲、コマ収差の補正が困難となる。条件式（３）の下限を超えると、第１レンズ群Ｕ１の焦点距離が相対的に長くなり過ぎるため、第１レンズ群Ｕ１の径が増大し、レンズの小型化が困難となる。
【００４０】
条件式（４）は第２レンズ群Ｕ２と第３レンズ群Ｕ３の焦点距離の比を規定している。条件式（４）の上限を超えると、第２レンズ群Ｕ２の焦点距離が相対的に短くなり過ぎるため、ズームによる収差変動の抑制、特に球面収差、像面湾曲、コマ収差の補正が困難となる。
【００４１】
条件式（４）の下限を超えると、第２レンズ群Ｕ２の焦点距離が相対的に長くなり過ぎるため、ズームに対し第２レンズ群の移動量が増大し、レンズ全長を短くすることが困難となる。
【００４２】
各実施例において更に好ましくは、次の諸条件のうち１以上を満足するのが良い。第１レンズ群Ｕ１は、物体側から像側へ順に次の３つのレンズ群から構成されている。フォーカシングのためには移動しない負の屈折力の第１１レンズ群Ｕ１１、フォーカシングの際に光軸に沿って移動する正の屈折力の第１２レンズ群Ｕ１２、フォーカシングのためには移動しない正の屈折力の第１３レンズ群Ｕ１３である。第１１レンズ群Ｕ１１の焦点距離をｆ１１、第１２レンズ群Ｕ１２の焦点距離をｆ１２、第１３レンズ群Ｕ１３の焦点距離をｆ１３とする。
このとき、
−２．０＜ｆ１１／ｆ１＜−０．８        ・・・（５）
１．０＜ｆ１２／ｆ１＜１５．０        ・・・（６）
０．８＜ｆ１３／ｆ１＜３．０          ・・・（７）
なる条件のうち１以上を満足するのが良い。
【００４３】
条件式（５）は第１レンズ群Ｕ１と第１１レンズ群Ｕ１１の焦点距離の比を規定している。条件式（５）の上限を超えると、第１１レンズ群Ｕ１１の焦点距離が相対的に短くなり過ぎるため、第１３レンズ群Ｕ１３の径が増大し、ズームによる収差変動の抑制、特に広角側で歪曲、像面湾曲、コマ収差の補正が困難となる。条件式（５）の下限を超えると、第１１レンズ群Ｕ１１の焦点距離が相対的に長くなり過ぎるため、第１１レンズ群Ｕ１１の径が増大し、レンズの小型化が困難となる。
【００４４】
条件式（６）は第１レンズ群Ｕ１と第１２レンズ群Ｕ１２の焦点距離の比を規定している。条件式（６）の上限を超えると、第１２レンズ群Ｕ１２の焦点距離が相対的に長くなり過ぎるため、フォーカシングに必要な移動量が増大し、レンズの小型化が困難となる。条件式（６）の下限を超えると、第１２レンズ群Ｕ１２の焦点距離が相対的に短くなり過ぎるため、フォーカシングによる収差変動の抑制、特に像面湾曲、コマ収差の補正が困難となる。
【００４５】
条件式（７）は第１レンズ群Ｕ１と第１３レンズ群Ｕ１３の焦点距離の比を規定している。条件式（７）の上限を超えると、第１３レンズ群Ｕ１３の焦点距離が相対的に長くなり過ぎるため、第１１レンズ群Ｕ１１の径が増大し、レンズの小型化が困難となる。条件式（７）の下限を超えると、第１３レンズ群Ｕ１３の焦点距離が相対的に短くなり過ぎるため、ズームによる収差変動の抑制、特に広角側の歪曲、像面湾曲、コマ収差の補正が困難となる。
【００４６】
各実施例において更に好ましくは、Ｆナンバー一定に対する絞り径が、全ての焦点距離において最も大きな径をＳＰｍａｘ、最も小さな径をＳＰｍｉｎとする。
このとき、
０．９＜ＳＰｍｉｎ／ＳＰｍａｘ≦１．０      ・・・（８）
なる条件を満足するのが良い。
【００４７】
条件式（８）は全ての焦点距離における最も大きな絞り径ＳＰｍａｘと、最も小さな絞り径ＳＰｍｉｎの比を規定している。これによれば、全ての焦点距離において、光量が略一定となり、複雑な機構や電気的な制御等が不要となる。条件式（８）の下限を超えると、径の変化が許容できなくなり、電気的な制御等が必要となる。
【００４８】
更に好ましくは条件式（２）乃至（８）の数値範囲を次の如く設定するのが良い。
２．０×１０-2＜Ｄ／φ＜２．０×１０-1        ・・・（２ａ）
−２．５０＜ｆ１／ｆ２＜−０．５０            ・・・（３ａ）
−０．４５＜ｆ２／ｆ３＜−０．３０            ・・・（４ａ）
−１．６０＜ｆ１１／ｆ１＜−０．９０          ・・・（５ａ）
２．００＜ｆ１２／ｆ１＜１３．００          ・・・（６ａ）
１．００＜ｆ１３／ｆ１＜２．５０            ・・・（７ａ）
０．９５＜ＳＰｍｉｎ／ＳＰｍａｘ≦１．００  ・・・（８ａ）
更に好ましくは条件式（８）の数値を次の如く設定するのが良い。
ＳＰｍｉｎ／ＳＰｍａｘ＝１．００            ・・・（８ｂ）
【００４９】
各実施例において更に好ましくは、第３レンズ群Ｕ３は、広角端において、最も物体側に位置するのが良い。これによれば、広角端において最も物体側のレンズ径が効果的に縮小するため、レンズの小型化が容易となる。
【００５０】
各実施例において更に好ましくは、第１１レンズ群Ｕ１１または前記第１２レンズ群Ｕ１２は、少なくとも１面が非球面で構成されている。正の屈折力の面に適用する場合、光軸から周辺に向かい正の屈折力が強まる形状であり、負の屈折力の面に適用する場合、光軸から周辺に向かい負の屈折力が弱まる形状であるのが良い。これによれば、ズーミングに際しての諸収差変動の抑制、特に広角側の歪曲のズーム変動を抑制することが容易となる。
【００５１】
次に各実施例のレンズ構成の特徴について説明する。
【００５２】
第１実施例において、第１レンズ群Ｕ１は第１レンズ面〜第１６レンズ面に対応する。第２レンズ群Ｕ２は第１７レンズ面〜第２４レンズ面に対応する。第３レンズ群Ｕ３は第２６レンズ面〜第３０レンズ面に対応する。第４レンズ群Ｕ４は第３１レンズ面〜第４１レンズ面に対応する。絞りは２５面に対応する。
【００５３】
広角端から望遠端へのズーミングに際して、第２レンズ群Ｕ２が像側へ直線的に移動するとき、第３レンズ群Ｕ３は広角端からズーム中間にかけて像側に移動し、ズーム中間から望遠端にかけて物体側に非曲線的な軌跡を描きながら移動する。
３つのズーム位置の中で２番目がズーム中間（ｆ＝３０ｍｍ）である。
【００５４】
絞りは第３レンズ群Ｕ３の物体側に近接配置され、ズーミングに際して、第３レンズ群Ｕ３と一体で移動し、機構を簡略化している。また、広角端において、最も物体側に位置することで、第１レンズ群Ｕ１、特に最も物体側のレンズ径を縮小し、小型化を達成している。
【００５５】
第１レンズ面は非球面形状である。第１レンズ面は主に広角側の歪曲収差補正を行っている。
【００５６】
後述する表１に示すように数値実施例１は条件式（１）〜（８）の何れの条件式も満足しており、３倍の高ズーム比で広角端における撮影画角（画角）９２．１°と広画角化を達成している。且つズーム全域において諸収差を良好に補正した高い光学性能を得ている。
【００５７】
第２実施例において、第１レンズ群Ｕ１は第１レンズ面〜第２１レンズ面に対応する。第２レンズ群Ｕ２は第２２レンズ面〜第２９レンズ面に対応する。第３レンズ群Ｕ３は第３１レンズ面〜第３５レンズ面に対応する。第４レンズ群Ｕ４は第３６レンズ面〜第４５レンズ面に対応する。絞りは２２面に対応する。
【００５８】
広角端から望遠端へのズーミングに際して、第２レンズ群Ｕ２が像側へ直線的に移動するとき、第３レンズ群Ｕ３は広角端からズーム中間にかけて像側に移動し、ズーム中間から望遠端にかけて物体側に非曲線的な軌跡を描きながら移動する。
３つのズーム位置の中で２番目がズーム中間（ｆ＝２２ｍｍ）である。
【００５９】
絞りは第３レンズ群Ｕ３の物体側に近接配置され、ズーミングに際して、第３レンズ群Ｕ３と一体で移動し、機構を簡略化している。また、広角端において、最も物体側に位置することで、第１レンズ群Ｕ１、特に最も物体側のレンズ径を縮小し、小型化を達成している。
【００６０】
第１レンズ面、第２２レンズ面、第４１レンズ面、第４２レンズ面は非球面形状である。第１レンズ面は主に広角側の歪曲収差補正を、第２２レンズ面は広角側におけるコマ収差等の軸外収差、望遠側における球面収差の補正を、第４１レンズ面と第４２レンズ面は広角側におけるコマ収差等の軸外収差を行っている。
【００６１】
後述する表１に示すように数値実施例１は条件式（１）〜（８）の何れの条件式も満足しており、２．７３倍の高ズーム比で広角端における撮影画角（画角）１０９．４°と広画角化を達成している。且つズーム全域において諸収差を良好に補正した高い光学性能を得ている。
【００６２】
第３実施例において、第１レンズ群Ｕ１は第１レンズ面〜第１７レンズ面に対応する。第２レンズ群Ｕ２は第１８レンズ面〜第２４レンズ面に対応する。第３レンズ群Ｕ３は第２６レンズ面〜第３０レンズ面に対応する。第４レンズ群Ｕ４は第３１レンズ面〜第４０レンズ面に対応する。絞りは２５面に対応する。
【００６３】
広角端から望遠端へのズーミングに際して、第２レンズ群Ｕ２が像側へ直線的に移動するとき、第３レンズ群Ｕ３は広角端からズーム中間にかけて像側に移動し、ズーム中間から望遠端にかけて物体側に非曲線的な軌跡を描きながら移動する。
３つのズーム位置の中で２番目がズーム中間（ｆ＝４８ｍｍ）である。
【００６４】
絞りは第３レンズ群Ｕ３の物体側に近接配置され、ズーミングに際して、第３レンズ群Ｕ３と一体で移動し、機構を簡略化している。また、広角端において、最も物体側に位置することで、第１レンズ群Ｕ１、特に最も物体側のレンズ径を縮小し、小型化を達成している。
【００６５】
後述する表１に示すように数値実施例１は条件式（１）〜（８）の何れの条件式も満足しており、３倍の高ズーム比で広角端における撮影画角（画角）６５．９°と広画角化を達成している。且つズーム全域において諸収差を良好に補正した高い光学性能を得ている。
【００６６】
第４実施例において、第１レンズ群Ｕ１は第１レンズ面〜第１８レンズ面に対応する。第２レンズ群Ｕ２は第１９レンズ面〜第２５レンズ面に対応する。第３レンズ群Ｕ３は第２７レンズ面〜第３１レンズ面に対応する。第４レンズ群Ｕ４は第３２レンズ面〜第４０レンズ面に対応する。絞りは２６面に対応する。
【００６７】
広角端から望遠端へのズーミングに際して、第２レンズ群Ｕ２が像側へ直線的に移動するとき、第３レンズ群Ｕ３は広角端からズーム中間にかけて像側に移動し、ズーム中間から望遠端にかけて物体側に非曲線的な軌跡を描きながら移動する。
３つのズーム位置の中で２番目がズーム中間（ｆ＝５０ｍｍ）である。
【００６８】
絞りは第３レンズ群Ｕ３の物体側に近接配置され、ズーミングに際して、第３レンズ群Ｕ３と一体で移動し、機構を簡略化している。また、広角端において、最も物体側に位置することで、第１レンズ群Ｕ１、特に最も物体側のレンズ径を縮小し、小型化を達成している。
【００６９】
第１レンズ面は非球面形状である。第１レンズ面は主に広角側の歪曲収差補正を行っている。
【００７０】
後述する表１に示すように数値実施例１は条件式（１）〜（８）の何れの条件式も満足しており、４倍の高ズーム比で広角端における撮影画角（画角）７５．７°と広画角化を達成している。且つズーム全域において諸収差を良好に補正した高い光学性能を得ている。
【００７１】
第５実施例において、第１レンズ群Ｕ１は第１レンズ面〜第１７レンズ面に対応する。第２レンズ群Ｕ２は第１８レンズ面〜第２６レンズ面に対応する。第３レンズ群Ｕ３は第２７レンズ面〜第３１レンズ面に対応する。第４レンズ群Ｕ４は第３３レンズ面〜第４４レンズ面に対応する。絞りは３２面に対応する。
【００７２】
広角端から望遠端へのズーミングに際して、第２レンズ群Ｕ２が像側へ直線的に移動するとき、第３レンズ群Ｕ３は広角端からズーム中間にかけて像側に移動し、ズーム中間から望遠端にかけて物体側に非曲線的な軌跡を描きながら移動する。
３つのズーム位置の中で２番目がズーム中間（ｆ＝３８．４ｍｍ）である。
【００７３】
絞りは第３レンズ群Ｕ３の像側に近接配置され、ズーミングに際して、第３レンズ群Ｕ３と一体で移動し、機構を簡略化している。また、広角端において、最も物体側に位置することで、第１レンズ群Ｕ１、特に最も物体側のレンズ径を縮小し、小型化を達成している。
【００７４】
第１レンズ面は非球面形状である。第１レンズ面は主に広角側の歪曲収差補正を行っている。
【００７５】
後述する表１に示すように数値実施例１は条件式（１）〜（８）の何れの条件式も満足しており、３倍の高ズーム比で広角端における撮影画角（画角）８８．４°と広画角化を達成している。且つズーム全域において諸収差を良好に補正した高い光学性能を得ている。
【００７６】
第６実施例において、第１レンズ群Ｕ１は第１レンズ面〜第１８レンズ面に対応する。第２レンズ群Ｕ２は第１９レンズ面〜第２７レンズ面に対応する。第３レンズ群Ｕ３は第２８レンズ面〜第３２レンズ面に対応する。第４レンズ群Ｕ４は第３４レンズ面〜第４５レンズ面に対応する。絞りは３３面に対応する。
【００７７】
広角端から望遠端へのズーミングに際して、第２レンズ群Ｕ２が像側へ直線的に移動するとき、第３レンズ群Ｕ３は広角端からズーム中間にかけて像側に移動し、ズーム中間から望遠端にかけて物体側に非曲線的な軌跡を描きながら移動する。
３つのズーム位置の中で２番目がズーム中間（ｆ＝２４ｍｍ）である。
【００７８】
絞りは第３レンズ群Ｕ３と第４レンズ群Ｕ４の間に配置され、ズーミングに際して、ズーム中間で最も第３レンズ群Ｕ３に近付き、広角端において第３レンズ群Ｕ３との空気間隔が最も開く。これにより、ズームによる収差変動の抑制、特にコマ収差等の軸外収差の補正を行っている。また、広角端において、最も物体側に位置することで、第１レンズ群Ｕ１、特に最も物体側のレンズ径を縮小し、小型化を達成している。
【００７９】
第１レンズ面は非球面形状である。第１レンズ面は主に広角側の歪曲収差補正を行っている。
【００８０】
後述する表１に示すように数値実施例１は条件式（１）〜（８）の何れの条件式も満足しており、２．６９倍の高ズーム比で広角端における撮影画角（画角）１００．２°と広画角化を達成している。且つズーム全域において諸収差を良好に補正した高い光学性能を得ている。
【００８１】
以上のように各実施例によれば、各レンズ群の屈折力配置やズーム用の移動レンズ群の移動軌跡等を適切に規定している。これにより、広画角、高ズーム比でしかも全ズーム範囲にわたり高い光学性能を有し、小型化が容易で、且つ、簡易な機構で制御が可能なズームレンズを得ている。
【００８２】
図１３は実施例１〜６のズームレンズを撮影光学系として用いた撮像装置の要部概略図である。図１３において１０１は実施例１〜３のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、ズーム用の第２レンズ群と第３レンズ群ＬＺ、結像用の第４レンズ群Ｒを有している。第１レンズ群Ｆは合焦用レンズ群が含まれている。
【００８３】
ズーム部ＬＺはズームのために光軸上を移動する第２レンズ群Ｕ２と、ズーミングに伴う像面変動を補正するために光軸上を移動する第３レンズ群Ｕ３が含まれている。ＳＰは開口絞りである。１１４、１１５は各々第１レンズ群Ｆ、ズーム部ＬＺを光軸方向に駆動するヘリコイドやカム等の駆動機構である。
【００８４】
１１６、１１７、１１８は駆動機構１１４、１１５および開口絞りＳＰを電動駆動するモータ（駆動手段）である。１１９、１２０、１２１は、第１レンズ群Ｆ、ズーム部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【００８５】
また、１１１、１２２はカメラ１２４及びズームレンズ１０１の各種の駆動を制御するＣＰＵである。このように本発明のズームレンズをカメラに適用することにより、高い光学性能を有する撮像装置を実現している。
【００８６】
以上、本発明の好ましい実施例について説明したが、本発明はこれらの実施例に限定されないことはいうまでもなく、その要旨の範囲内で種々の変形及び変更が可能である。
【００８７】
以下に本発明の実施例１〜６に対する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。非球面は面番号の横に＊印を付けている。各実施例と前述した条件式との対応を表１に示す。
【００８８】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０をそれぞれ非球面係数としたとき、次式で表している。また、「ｅ−Ｚ」は「×１０-Z」を意味する。
【００８９】
【数１】
2016014816.tif 000003
【００９０】
数値実施例１
単位 mm
面データ
面番号       r        d      nd         vd       有効径
1*       105.906    3.00   1.77250    49.6       75.68
2         30.710   24.00                         55.77
3       -115.699    2.00   1.60300    65.4       53.42
4         75.601    3.41                         50.96
5         58.075    2.00   1.77250    49.6       52.88
6         38.762    7.84   1.80518    25.4       51.91
7         75.078    7.50                         51.42
8       -385.644    5.06   1.48749    70.2       51.89
9       -101.038    6.45                         52.38
10        288.693    2.00   1.84666    23.8       52.72
11         53.764   12.75   1.49700    81.5       52.21
12       -124.684    0.20                         52.79
13         92.037   12.74   1.49700    81.5       53.23
14        -63.889    0.40                         52.74
15         47.783    6.15   1.58913    61.1       44.21
16        193.581  (可変)                         42.72
17        228.598    1.20   1.80400    46.6       22.48
18         25.909    4.35                         20.14
19        -39.390    1.20   1.48749    70.2       19.32
20         71.178    1.36                         19.66
21         38.663    4.51   1.84666    23.8       20.51
22        -88.220    1.18                         20.41
23        -38.887    1.20   1.80400    46.6       20.29
24         86.480  (可変)                         20.57
25(絞り)    ∞       1.00                         21.65
26         99.326    1.40   1.90366    31.3       22.25
27         26.675    4.34   1.58913    61.1       22.52
28       -285.523    0.20                         23.00
29         49.468    4.73   1.77250    49.6       23.81
30       -266.884  (可変)                         23.85
31        180.183    6.20   1.84666    23.8       22.56
32        -20.938    1.50   1.80518    25.4       22.93
33        -52.131    6.21                         23.39
34        -28.302    1.50   1.90366    31.3       22.65
35       -764.290    5.31   1.49700    81.5       23.91
36        -24.194    2.00                         24.75
37         87.739    6.30   1.49700    81.5       25.15
38        -25.013    1.50   2.00330    28.3       25.04
39      -1092.264    4.27                         26.23
40         82.689    5.18   1.48749    70.2       28.95
41        -58.509   42.00                         29.35
像面        ∞   
非球面データ
第1面
A 4= 1.45201e-006  A 6=-1.92202e-010  A 8= 1.11680e-013  A10=-1.94113e-018  
各種データ
ズーム比      3.00 
広角     中間     望遠
焦点距離      15.00    30.00    45.00  
Fナンバー      3.00     3.00     3.00  
半画角        46.03    27.40    19.06  
像高          15.55    15.55    15.55  
レンズ全長   257.00   257.00   257.00  
BF            42.00    42.00    42.00  
d16            1.59    23.74    30.56  
d24           22.56    12.51     2.68  
d30           28.73    16.63    19.64  
入射瞳位置    36.06    46.46    49.58  
射出瞳位置  -174.09   -98.57  -112.24  
前側主点位置  50.02    70.06    81.45  
後側主点位置  27.00    12.00    -3.00  
ズームレンズ群データ
群  始面    焦点距離  レンズ構成長  前側主点位置  後側主点位置
1    1      29.00        95.51        48.70         39.97
2   17     -20.40        14.99         4.03         -6.30
3   25      56.00        11.66         5.16         -2.20
4   31      74.56        39.97        13.55        -20.81
単レンズデータ
レンズ  始面  焦点距離
1       1    -56.71
2       3    -75.26
3       5   -157.28
4       6     89.90
5       8    278.26
6      10    -77.57
7      11     77.20
8      13     77.77
9      15    105.61
10      17    -36.26
11      19    -51.66
12      21     31.96
13      23    -33.05
14      26    -40.43
15      27     41.46
16      29     54.12
17      31     22.25
18      32    -44.01
19      34    -32.31
20      35     50.01
21      37     39.79
22      38    -25.32
23      40     70.90
【００９１】
数値実施例２
単位 mm
面データ
面番号       r        d      nd         vd       有効径
1*       125.983    3.00   1.77250    49.6       75.56
2         29.324   18.93                         53.69
3        549.996    2.00   1.77250    49.6       50.76
4         38.313    7.30                         44.31
5      -5176.224    2.00   1.77250    49.6       44.25
6         59.050   13.43                         43.20
7        110.373    6.23   1.84666    23.8       50.02
8       -233.175    1.50                         50.34
9        385.781    5.07   1.49700    81.5       50.75
10       -260.510    9.67                         50.84
11        167.999    8.31   1.65412    39.7       50.17
12        -80.817    0.20                         49.80
13       -121.378    2.00   1.88300    40.8       48.66
14      18001.114    0.20                         48.09
15        330.405    2.00   1.84666    23.8       47.85
16         45.233    8.59   1.43875    94.9       46.39
17        877.302    0.20                         46.61
18        136.407    9.21   1.49700    81.5       46.91
19        -57.679    0.40                         46.87
20         44.765    4.47   1.62041    60.3       41.54
21         96.980  (可変)                         40.49
22*        72.702    1.20   1.77250    49.6       22.18
23         19.385    4.26                         19.86
24        -89.631    1.20   1.65160    58.5       19.41
25        174.305    1.18                         19.06
26         28.069    3.89   1.84666    23.8       18.52
27        -55.497    0.28                         17.82
28        -44.482    1.20   2.00100    29.1       17.66
29         62.004  (可変)                         16.80
30(絞り)    ∞       1.50                         17.05
31         46.905    1.40   1.90366    31.3       17.55
32         26.692    3.72   1.58913    61.1       17.41
33       -145.518    0.20                         17.51
34        140.212    1.50   1.65160    58.5       17.52
35        314.986  (可変)                         17.47
36         31.984    4.43   1.51633    64.1       16.92
37       -113.714    1.54                         16.30
38      -2439.137    2.65   1.92286    18.9       16.40
39        -32.248    1.20   2.00100    29.1       16.45
40         82.411   12.73                         16.58
41*       126.410    5.57   1.49700    81.5       20.55
42*       -27.365    0.20                         20.90
43       -103.748    5.10   1.49700    81.5       20.48
44        -15.350    1.20   2.00330    28.3       20.31
45        -45.056   41.81                         21.65
像面        ∞   
非球面データ
第1面
A 4= 3.71651e-006  A 6=-1.45799e-009  A 8= 6.48650e-013  A10=-8.23095e-017  
第22面
A 4= 6.21140e-007  A 6=-1.22856e-008  A 8= 7.73156e-011  A10= 3.73404e-015  
第41面
A 4= 8.94637e-006  A 6=-2.25850e-008  A 8= 2.67140e-010  A10= 2.17935e-013  
第42面
A 4= 6.07961e-006  A 6=-6.65971e-008  A 8= 3.22992e-010  A10=-4.70541e-013  
各種データ
ズーム比      2.73 
広角     中間     望遠
焦点距離      11.00    22.00    30.00  
Fナンバー      4.00     4.00     4.00  
半画角        54.72    35.25    27.40  
像高          15.55    15.55    15.55  
レンズ全長   249.85   249.85   249.85  
BF            41.81    41.81    41.81  
d21            1.68    32.80    40.41  
d29           28.69    13.26     2.37  
d35           16.82     1.12     4.41  
入射瞳位置    28.23    33.48    34.28  
射出瞳位置   -65.20   -37.16   -41.86  
前側主点位置  38.10    49.35    53.52  
後側主点位置  30.81    19.81    11.81  
ズームレンズ群データ
群  始面    焦点距離  レンズ構成長  前側主点位置  後側主点位置
1    1      26.12       104.71        45.13         68.50
2   22     -29.83        13.21         2.89         -6.20
3   30      70.96         8.33         2.24         -3.48
4   36      76.23        34.61         3.89        -24.58
単レンズデータ
レンズ  始面  焦点距離
1       1    -49.92
2       3    -53.15
3       5    -75.20
4       7     88.35
5       9    312.79
6      11     84.04
7      13   -135.74
8      15    -61.49
9      16    108.09
10      18     82.63
11      20    129.24
12      22    -34.39
13      24    -90.31
14      26     22.28
15      28    -25.52
16      31    -70.35
17      32     38.44
18      34    384.93
19      36     48.67
20      38     34.96
21      39    -22.85
22      41     45.68
23      43     35.46
24      44    -23.49
【００９２】
数値実施例３
単位 mm
面データ
面番号       r        d      nd         vd       有効径
1         96.340    2.10   1.77250    49.6       62.08
2         39.374   12.31                         54.08
3       -646.451    2.00   1.61800    63.3       53.57
4        113.605    8.48                         52.35
5        -96.713    2.00   1.58913    61.1       52.63
6       -611.157    2.47                         54.17
7         96.020    5.28   1.80809    22.8       57.42
8        362.753    1.42                         57.31
9        168.736    8.37   1.49700    81.5       57.39
10       -106.638   10.70                         57.26
11        154.842    2.00   1.85478    24.8       54.46
12         49.019   10.45   1.49700    81.5       52.63
13      -1394.501    0.15                         52.59
14         90.490    9.09   1.48749    70.2       52.41
15       -110.064    0.15                         51.94
16         61.483    4.59   1.72916    54.7       47.06
17        149.694  (可変)                         45.88
18        105.723    1.20   1.77250    49.6       22.89
19         23.813    4.33                         21.13
20        -96.883    1.20   1.58913    61.1       21.18
21         25.245    3.81   1.85478    24.8       21.63
22        138.298    3.36                         21.54
23        -25.598    1.20   1.58913    61.1       21.56
24        -66.289  (可変)                         22.52
25(絞り)    ∞       1.39                         23.65
26       -189.276    3.24   1.58913    61.1       24.04
27        -42.156    0.10                         24.55
28         50.649    5.35   1.49700    81.5       24.89
29        -39.557    1.20   1.83400    37.2       24.70
30       -220.373  (可変)                         24.81
31         28.546    3.69   1.62280    57.0       24.40
32         71.968    5.66                         23.69
33        196.901    4.35   1.80809    22.8       21.73
34        -38.759    1.20   1.72047    34.7       21.61
35         26.343   10.91                         21.41
36         61.470    9.70   1.49700    81.5       28.07
37        -21.896    1.20   1.75520    27.5       28.74
38        -43.861    3.00                         30.46
39        118.904    4.27   1.58913    61.1       32.05
40       -226.880   49.16                         32.16
像面        ∞   
各種データ
ズーム比      3.00 
広角     中間     望遠
焦点距離      24.00    48.00    72.00  
Fナンバー      2.80     2.80     2.80  
半画角        32.94    17.95    12.19  
像高          15.55    15.55    15.55  
レンズ全長   241.06   241.06   241.06  
BF            49.16    49.16    49.16  
d17            1.95    26.31    34.11  
d24           22.97    12.13     1.49  
d30           15.03     1.51     4.36  
入射瞳位置    46.63    72.06    79.48  
射出瞳位置  -196.89   -94.50  -108.50  
前側主点位置  68.29   104.02   118.60  
後側主点位置  25.16     1.16   -22.84  
ズームレンズ群データ
群  始面    焦点距離  レンズ構成長  前側主点位置  後側主点位置
1    1      48.99        81.57        53.95         27.68
2   18     -22.49        15.10         4.32         -6.77
3   25      61.05        11.29         2.95         -4.75
4   31      70.44        43.98        27.85        -15.63
単レンズデータ
レンズ  始面  焦点距離
1       1    -87.19
2       3   -155.61
3       5   -194.55
4       7    158.53
5       9    132.43
6      11    -83.86
7      12     95.23
8      14    103.06
9      16    139.40
10      18    -39.85
11      20    -33.74
12      21     35.24
13      23    -71.29
14      26     90.96
15      28     45.46
16      29    -57.62
17      31     73.26
18      33     40.00
19      34    -21.45
20      36     33.69
21      37    -58.79
22      39    132.52
【００９３】
数値実施例４
単位 mm
面データ
面番号       r        d      nd         vd       有効径
1*        65.799    2.85   1.77250    49.6       72.05
2         34.156   19.27                         59.05
3       -321.697    2.00   1.60300    65.4       58.27
4         87.401   10.91                         55.18
5         59.691    3.49   1.92286    18.9       54.28
6         81.756    6.38                         53.67
7        553.632    5.40   1.49700    81.5       53.28
8       -130.124    2.00   1.58913    61.1       53.01
9       -203.971   17.02                         53.05
10        240.150    3.00   1.51742    52.4       50.60
11        766.776    0.55                         50.29
12        365.740    2.00   1.85478    24.8       50.09
13         52.185    8.66   1.49700    81.5       48.87
14       -391.426    0.20                         48.94
15        138.174    5.50   1.59522    67.7       48.95
16       -228.442    0.20                         48.68
17         94.774    6.19   1.76385    48.6       47.13
18       -196.641  (可変)                         46.36
19       -274.626    1.20   1.58913    61.1       20.73
20         26.643    2.73                         19.50
21       -123.276    1.20   1.58913    61.1       19.50
22         24.512    2.92   1.80809    22.8       19.69
23         70.082    2.97                         19.59
24        -28.002    1.20   1.58913    61.1       19.65
25        -56.050  (可変)                         20.36
26(絞り)    ∞       1.00                         21.08
27        592.451    2.56   1.58913    61.1       21.45
28        -68.879    0.20                         21.76
29         99.013    4.27   1.49700    81.5       21.96
30        -37.177    1.40   1.83400    37.2       21.98
31        -99.031  (可変)                         22.27
32         50.999    3.94   1.54814    45.8       22.40
33        173.937   20.53                         21.97
34        152.959    4.30   1.49700    81.5       26.65
35       -195.014    5.01                         26.94
36        392.765    1.70   1.88300    40.8       27.33
37         28.846    7.70   1.43875    94.9       27.34
38        -71.704    5.76                         28.36
39         44.145    4.00   1.48749    70.2       31.85
40        393.286   51.33                         31.80
像面        ∞   
非球面データ
第1面
A 4= 3.37233e-007  A 6= 2.89188e-010  A 8=-1.03110e-013  A10= 8.11887e-017  
各種データ
ズーム比      4.00 
広角     中間     望遠
焦点距離      20.00    50.00    80.00  
Fナンバー      3.50     3.50     3.50  
半画角        37.87    17.28    11.00  
像高          15.55    15.55    15.55  
レンズ全長   271.35   271.35   271.35  
BF            51.33    51.33    51.33  
d18            0.90    34.24    42.96  
d25           26.53    14.02     1.00  
d31           22.37     1.54     5.84  
入射瞳位置    48.86    76.09    82.53  
射出瞳位置  -285.59   -99.40  -118.36  
前側主点位置  67.67   109.51   124.81  
後側主点位置  31.33     1.33   -28.67  
ズームレンズ群データ
群  始面    焦点距離  レンズ構成長  前側主点位置  後側主点位置
1    1      45.02        95.62        62.92         37.84
2   19     -22.23        12.23         3.31         -5.84
3   26      72.01         9.43         2.90         -3.57
4   32      72.99        52.94        27.90        -28.24
単レンズデータ
レンズ  始面  焦点距離
1       1    -95.25
2       3   -113.35
3       5    219.93
4       7    211.93
5       8   -613.89
6      10    671.42
7      12    -70.75
8      13     92.98
9      15    144.95
10      17     84.09
11      19    -41.00
12      21    -34.47
13      22     44.88
14      24    -96.14
15      27    104.48
16      29     54.80
17      30    -71.66
18      32    129.49
19      34    172.69
20      36    -35.13
21      37     47.89
22      39    101.28
【００９４】
数値実施例５
単位 mm
面データ
面番号       r        d      nd         vd       有効径
1*        96.939    3.00   1.77250    49.6       88.18
2         40.894   16.47                         70.01
3        141.421    2.00   1.61800    63.3       69.10
4         56.111   15.00                         63.43
5       -103.262    2.00   1.58913    61.1       63.35
6        352.544    9.43                         63.30
7        114.149    6.56   1.84666    23.8       70.50
8        610.754    2.04                         70.48
9        320.547    9.47   1.49700    81.5       70.93
10       -128.780   13.94                         71.11
11        203.034    2.00   1.85478    24.8       67.16
12         57.336   14.17   1.49700    81.5       64.83
13       -323.349    0.20                         64.85
14        113.804   11.87   1.49700    81.5       64.28
15       -103.355    0.20                         63.73
16         51.057    6.85   1.59522    67.7       53.58
17        152.946  (可変)                         52.15
18        124.911    1.20   1.59522    67.7       21.79
19         22.002    4.25                         18.97
20        -40.712    1.96   1.80518    25.4       18.79
21        -29.718    1.20   1.65160    58.5       19.03
22         31.919    1.95                         19.51
23         35.380    3.63   1.75520    27.5       20.85
24       -119.542    1.00                         20.97
25        -42.054    1.20   1.88300    40.8       20.97
26       -897.887  (可変)                         21.57
27        256.661    1.40   1.83400    37.2       22.73
28         30.184    5.40   1.64000    60.1       23.42
29        -70.190    0.20                         24.08
30         55.236    2.63   1.77250    49.6       24.93
31        535.799    0.65                         24.89
32(絞り)     ∞    (可変)                         24.89
33        216.331    2.40   1.49700    81.5       24.54
34        -97.841    2.00                         24.47
35        -64.079    5.89   1.80809    22.8       24.15
36        -23.125    1.20   2.00100    29.1       24.39
37        -51.185    9.33                         25.61
38      -1757.379    4.53   1.49700    81.5       28.74
39        -33.629    0.20                         29.00
40         91.559    6.30   1.49700    81.5       28.17
41        -28.580    1.20   2.00330    28.3       27.81
42       -629.889    0.79                         28.37
43       1910.543    2.50   1.51742    52.4       28.57
44       -105.696   46.99                         28.75
像面        ∞   
非球面データ
第1面
A 4= 2.95026e-007  A 6= 2.69264e-011  A 8= 1.65578e-014  A10=-2.49725e-018  
各種データ
ズーム比      3.00 
広角     中間     望遠
焦点距離      16.00    38.40    48.00  
Fナンバー      2.60     2.60     2.60  
半画角        44.18    22.05    17.95  
像高          15.55    15.55    15.55  
レンズ全長   270.00   270.00   270.00  
BF            46.99    46.99    46.99  
d17            2.16    29.43    33.22  
d26           17.21     6.34     1.73  
d32           25.43     9.03     9.85  
入射瞳位置    47.76    68.67    73.19  
射出瞳位置  -114.06   -48.99   -51.00  
前側主点位置  62.17    91.71    97.67  
後側主点位置  30.99     8.59    -1.01  
ズームレンズ群データ
群  始面    焦点距離  レンズ構成長  前側主点位置  後側主点位置
1    1      35.05       115.20        59.75         36.03
2   18     -18.75        16.39         3.89         -7.83
3   27      53.39        10.28         4.49         -1.87
4   33      64.17        36.33        13.70        -13.80
単レンズデータ
レンズ  始面  焦点距離
1       1    -93.31
2       3   -151.30
3       5   -134.82
4       7    163.19
5       9    185.61
6      11    -93.19
7      12     98.93
8      14    110.68
9      16    125.16
10      18    -44.91
11      20    125.38
12      21    -23.34
13      23     36.21
14      25    -49.71
15      27    -40.87
16      28     33.56
17      30     79.15
18      33    135.50
19      35     41.63
20      36    -42.72
21      38     68.72
22      40     44.47
23      41    -29.62
24      43    192.77
【００９５】
数値実施例６
単位 mm
面データ
面番号       r        d      nd         vd       有効径
1*       105.894    3.00   1.77250    49.6       82.98
2         34.720   15.29                         62.00
3         99.039    2.00   1.61800    63.3       60.85
4         41.176   14.29                         53.95
5        -92.171    2.00   1.58913    61.1       53.85
6         89.982   12.28                         52.96
7        112.556    5.80   1.84666    23.8       58.07
8       3196.892    5.96                         58.22
9        205.102    9.46   1.49700    81.5       60.12
10        -99.783   10.43                         60.32
11        251.662    2.00   1.85478    24.8       56.86
12         56.164    0.81                         55.21
13         59.180   10.92   1.49700    81.5       55.59
14       -266.737    0.20                         55.81
15        128.625   10.22   1.49700    81.5       55.92
16        -80.812    0.20                         55.64
17         55.106    4.97   1.59522    67.7       49.27
18        124.653  (可変)                         48.17
19         77.892    1.20   1.61800    63.3       23.71
20         25.178    4.66                         21.29
21        -44.112    1.93   1.80518    25.4       20.28
22        -31.726    1.20   1.65160    58.5       19.95
23         33.512    2.00                         18.66
24         37.854    3.34   1.71736    29.5       19.74
25       -113.753    0.75                         19.88
26        -47.336    1.20   1.88300    40.8       19.88
27       -202.087  (可変)                         20.31
28        162.720    1.40   1.83400    37.2       21.13
29         30.246    4.46   1.64000    60.1       21.46
30       -119.207    0.20                         21.89
31         59.300    2.17   1.77250    49.6       22.31
32        263.677  (可変)                         22.26
33(絞り)     ∞    (可変)                         22.27
34         56.886    2.64   1.49700    81.5       22.30
35        102.798   11.40                         22.02
36      -1037.859    5.99   1.80809    22.8       21.06
37        -22.802    1.20   2.00100    29.1       20.92
38        -76.312    6.70                         21.79
39        147.601    4.06   1.49700    81.5       24.16
40        -33.873    0.20                         24.34
41         51.080    5.20   1.49700    81.5       23.67
42        -30.946    1.20   2.00330    28.3       23.25
43         50.844    1.53                         23.30
44         71.538    3.26   1.51742    52.4       23.93
45        -69.966   45.20                         24.19
像面        ∞   
非球面データ
第1面
A 4= 1.05279e-006  A 6=-1.86133e-011  A 8= 4.79973e-015  A10= 1.04599e-017  
各種データ
ズーム比      2.69 
広角     中間     望遠
焦点距離      13.00    24.00    35.00  
Fナンバー      3.00     3.00     3.00  
半画角        50.10    32.94    23.95  
像高          15.55    15.55    15.55  
レンズ全長   266.04   266.04   266.04  
BF            45.20    45.20    45.20  
d18            1.84    26.70    35.90  
d27           21.94    11.95     1.99  
d32            5.26     0.73     3.56  
d33           14.10     3.75     1.69  
入射瞳位置    36.55    44.11    48.76  
射出瞳位置   -75.12   -48.00   -44.00  
前側主点位置  48.15    61.93    70.03  
後側主点位置  32.20    21.20    10.20  
ズームレンズ群データ
群  始面    焦点距離  レンズ構成長  前側主点位置  後側主点位置
1    1      30.14       109.82        52.43         54.69
2   19     -25.22        16.27         3.65         -8.54
3   28      70.12         8.23         3.36         -1.55
4   33       ∞           0.00         0.00         -0.00
5   34      65.80        43.39        15.90        -19.99
単レンズデータ
レンズ  始面  焦点距離
1       1    -67.80
2       3   -115.14
3       5    -76.67
4       7    136.32
5       9    136.07
6      11    -84.18
7      13     98.26
8      15    101.21
9      17    161.05
10      19    -60.50
11      21    129.96
12      22    -24.73
13      24     39.65
14      26    -69.86
15      28    -44.48
16      29     37.99
17      31     98.11
18      34    250.73
19      36     28.48
20      37    -32.59
21      39     55.69
22      41     39.49
23      42    -18.88
24      44     68.59
【００９６】
【表１】
2016014816.tif 000004
【符号の説明】
【００９７】
Ｕ１  第１レンズ群、Ｕ２  第２レンズ群、Ｕ３  第３レンズ群、Ｕ４  第４レンズ群、Ｐ  プリズム部材、Ｉ  像面
【図１】
2016014816.tif 000005
【図２】
2016014816.tif 000006
【図３】
2016014816.tif 000007
【図４】
2016014816.tif 000008
【図５】
2016014816.tif 000009
【図６】
2016014816.tif 000010
【図７】
2016014816.tif 000011
【図８】
2016014816.tif 000012
【図９】
2016014816.tif 000013
【図１０】
2016014816.tif 000014
【図１１】
2016014816.tif 000015
【図１２】
2016014816.tif 000016
【図１３】
2016014816.tif 000017
【図１４】
2016014816.tif 000018